(57)【要約】【課題】  振動に対するダンピング特性を幅広く選択できるダンパーを提供しようとする。【解決手段】  従来の対象物と基礎との間に設けられるダンパーに変わって、基礎に固定され流体を貯留できる容器と、対象物に固定される上板と筒状の形状を持ち上端を該上板に固定し軸芯を垂直軸に沿わせた筒状部材と前記筒状部材の底部に設けられる底部構造とを有するピストン状構造物と、を備え、前記底部構造が複数の長尺の部材であって前記筒状部材の下部に長手方向を水平にして上から見て格子状に交差して見える様に設けられる複数の長尺部材を有し、前記ピストン状構造体が前記筒状部材の下部と前記底部構造の少なくとも一部とを前記液体に浸け前記容器に対し上下方向に相対移動自在になった、ものとした。【選択図】    図２
2015031350.tif 000002
【特許請求の範囲】
【請求項１】
対象物と基礎との間に設けられるダンパーであって、
基礎に固定され流体を貯留できる容器と、
対象物に固定される上板と筒状の形状を持ち上端を該上板に固定し中心軸を垂直軸に沿わせた筒状部材と前記筒状部材の底部に設けられる底部構造とを有するピストン状構造物と、
を備え、
前記底部構造が複数の長尺の部材であって前記筒状部材の下部に長手方向を水平にして上から見て格子状に交差して見える様に設けられる複数の長尺部材を有し、
前記ピストン状構造体が前記筒状部材の下部と前記底部構造の少なくとも一部とを前記液体に浸け前記容器に対し上下方向に相対移動自在になった、
ことを特徴とするダンパー。
【請求項２】
複数の長尺部材が格子状に互いに交差し、
前記底部構造に格子状に交差する複数の前記長尺部材により囲われる複数の空間が各々に形成される、
ことを特徴とする請求項１に記載のダンパー。
【請求項３】
複数の前記長尺部材が長尺の板材であって面を水平面内で長手方向に直交する方向に向けて格子状に互いに交差し、
前記底部構造に格子状に交差する複数の前記長尺部材の面により囲われる複数の空間が各々に形成される、
ことを特徴とする請求項２に記載のダンパー。
【請求項４】
複数の前記長尺部材が長尺の板材であって面を垂直線から傾けて水平面内で長手方向に直交する方向に向けて格子状に互いに交差し、
前記底部構造に格子状に交差する複数の前記長尺部材の垂直線から傾いた面により囲われる複数の空間が各々に形成される、
ことを特徴とする請求項３に記載のダンパー。
【請求項５】
複数の前記長尺部材が板幅方向に沿って湾曲した面をもつ長尺の板材であって面を水平面内で長手方向に直交する方向に向けて格子状に互いに交差し、
前記底部構造に格子状に交差する複数の前記長尺部材の湾曲した面により囲われる複数の空間が各々に形成される、
ことを特徴とする請求項４に記載のダンパー。
【請求項６】
前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材とを有し、
前記底部構造に格子状に交差する複数の長尺部材により囲われる複数の空間が形成され、
上から見て複数の貫通穴のうちの少なくとも幾つかの貫通穴が複数の前記空間の中に各々に位置する、
ことを特徴とする請求項５に記載のダンパー。
【請求項７】
前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材とを有し、
複数の前記長尺部材が長尺の板材であって面を垂直線から傾けて水平面内で長手方向に直交する方向に向け、
前記底部構造に格子状に交差する複数の長尺部材の面により囲われて上下方向に移動するに従って一方の方向に拡がる複数の空間が形成され、
上から見て複数の貫通穴のうちの少なくとも幾つかの貫通穴が複数の前記空間の上下方向の一方の側の中に各々に位置する、
ことを特徴とする請求項６に記載のダンパー。
【請求項８】
前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材とを有し、
複数の前記長尺部材が板幅方向に沿って湾曲する面をもつ長尺の板材であって面を水平面内で長手方向に直交する方向に向け、
前記底部構造に格子状に交差する複数の長尺部材の面により囲われる複数の空間が形成され、
上から見て複数の貫通穴のうちの少なくとも幾つかの貫通穴が複数の空間の上下方向の一方の側の中に各々に位置する、
ことを特徴とする請求項７に記載のダンパー。
【請求項９】
前記筒状部材が側面に開口を形成され、
前記開口が液体の表面より上方に位置する、
ことを特徴とする請求項８に記載のダンパー。
【請求項１０】
前記筒状部材が上から見て矩形の輪郭をした筒状の形状をもつ、
ことを特徴とする請求項９に記載のダンパー。
【請求項１１】
前記筒状部材が垂直軸に沿って上から下に移るのに従って拡がる筒状の形状を持つ、
ことを特徴とする請求項１０に記載のダンパー。
【請求項１２】
前記筒状部材が垂直軸に沿って上から下に移るのに従ってラッパ状に拡がる筒状の形状を持つ、
ことを特徴とする請求項１１に記載のダンパー。
【請求項１３】
複数の前記長尺部材が長尺の板材であって面を水平面内で長手方向に直交する方向に向けて格子状に互いに交差し、
前記底部構造に格子状に交差する複数の前記長尺部材の面により囲われる複数の空間が各々に形成される、
ことを特徴とする請求項１に記載のダンパー。
【請求項１４】
複数の前記長尺部材が長尺の板材であって面を垂直線から傾けて水平面内で長手方向に直交する方向に向けて格子状に互いに交差し、
前記底部構造に格子状に交差する複数の前記長尺部材の垂直線から傾いた面により囲われる複数の空間が各々に形成される、
ことを特徴とする請求項１に記載のダンパー。
【請求項１５】
複数の前記長尺部材が板幅方向に沿って湾曲した面をもつ長尺の板材であって面を水平面内で長手方向に直交する方向に向けて格子状に互いに交差し、
前記底部構造に格子状に交差する複数の前記長尺部材の湾曲した面により囲われる複数の空間が各々に形成される、
ことを特徴とする請求項１に記載のダンパー。
【請求項１６】
対象物と基礎との間に設けられるダンパーであって、
基礎に固定され流体を貯留できる容器と、
対象物に固定される上板と筒状の形状を持ち上端を該上板に固定し軸芯を垂直軸に沿わせた筒状部材と前記筒状部材の底部に設けられる底部構造と前記筒状部材の下部に設けられ面を上下方向に向ける板状の形状をもち垂直方向に貫通する複数の貫通穴を形成される板状部材とを有するピストン状構造物と、
を備え、
前記底部構造に上から見て散らばる様に配置される複数の空間を形成され、
上から見て複数の貫通穴のうちの少なくとも幾つかの貫通穴が複数の前記空間の中に各々に位置し、
前記ピストン状構造体が前記筒状部材の下部と前記底部構造の少なくとも一部とを前記液体に浸け前記容器に対し上下方向に相対移動自在になった、
ことを特徴とするダンパー。
【請求項１７】
複数の前記空間が上下方向に移動するに従って一方の方向に拡がる様に各々に形成され、
上から見て複数の貫通穴のうちの少なくとも幾つかの貫通穴が複数の前記空間の上下方向の一方の側の中に各々に位置する、
ことを特徴とする請求項１６に記載のダンパー。
【請求項１８】
複数の前記空間が上下方向に沿って湾曲する面により囲われる様に形成され、
上から見て複数の貫通穴のうちの少なくとも幾つかの貫通穴が複数の空間の上下方向の一方の側の中に各々に位置する、
ことを特徴とする請求項１６に記載のダンパー。
【請求項１９】
前記筒状部材が側面に開口を形成され、
前記開口が液体の表面より上方に位置する、
ことを特徴とする請求項１に記載のダンパー。
【請求項２０】
前記筒状部材が上から見て矩形の輪郭をした筒状の形状をもつ、
ことを特徴とする請求項１に記載のダンパー。
【請求項２１】
前記筒状部材が垂直軸に沿って上から下に移るのに従って拡がる筒状の形状を持つ、
ことを特徴とする請求項１に記載のダンパー。
【請求項２２】
前記筒状部材が垂直軸に沿って上から下に移るのに従ってラッパ状に拡がる筒状の形状を持つ、
ことを特徴とする請求項１に記載のダンパー。
【発明の詳細な説明】
【技術分野】
【０００１】
本発明は対象物と基礎との間に設けられるダンパーに係る。特に、免震機能または制振機能を発揮するのに好適なダンパーに関する。
【背景技術】
【０００２】
対象物を支持するのに免震機能または制振機能を発揮するダンパーを使用することがある。
例えば、容器とピストン状構造物とで構成され、ピストン状構造物が対象物を支持する上板と筒状部材とを有し、筒状部材の下部が容器に貯留された液体に浸かる構造のダンパーを用いる。
さらに、ピストン状構造物が下部に垂直方向に貫通する貫通穴を設けられた板状部材を有する場合がある。
対象物が基礎にたいして垂直方向に相対移動すると、ピストン状構造物の下部が容器に貯留された液体の中で移動する。
【０００３】
ピストン状構造物の下部が容器に貯留された液体の中で移動して、筒状部材の下部の上面で液体の内部剪断力が発生し、液体が板部材の貫通穴を通過して差圧が発生する。
その結果、対象物と基礎との間に生ずる相対振動をダンピングできる。
液体の粘性や筒状部材の寸法、形状や貫通穴の数、寸法、形状を適時に選択することにより、希望のダンピング性能を得る。
今以上に振動に対するダンピング特性を幅広く選択できるダンパーが希望されている。
【発明の概要】
【発明が解決しようとする課題】
【０００４】
本発明は、振動に対するダンピング特性を幅広く選択できるダンパーを提供しようとする。
【課題を解決するための手段】
【０００５】
上記目的を達成するため、本発明に係る対象物と基礎との間に設けられるダンパーを、
基礎に固定され流体を貯留できる容器と、対象物に固定される上板と筒状の形状を持ち上端を該上板に固定し軸芯を垂直軸に沿わせた筒状部材と前記筒状部材の底部に設けられる底部構造とを有するピストン状構造物と、を備え、前記底部構造が複数の長尺の部材であって前記筒状部材の下部に長手方向を水平にして上から見て格子状に交差して見える様に設けられる複数の長尺部材を有し、前記ピストン状構造体が前記筒状部材の下部と前記底部構造の少なくとも一部とを前記液体に浸け前記容器に対し上下方向に相対移動自在になった、ものとした。
【０００６】
上記本発明の構成により、容器が、基礎に固定され流体を貯留できる。ピストン状構造物が、対象物に固定される上板と筒状の形状を持ち上端を該上板に固定し軸芯を垂直軸に沿わせた筒状部材と前記筒状部材の底部に設けられる底部構造とを有する。前記底部構造が複数の長尺の部材であって前記筒状部材の下部に長手方向を水平にして上から見て格子状に交差して見える様に設けられる複数の長尺部材を有する。前記ピストン状構造体が前記筒状部材の下部と前記底部構造の少なくとも一部とを前記液体に浸け前記容器に対し上下方向に相対移動自在になった。
その結果、対象物と基礎とが相対移動すると、筒状部材の下部が液体の中で移動して、相対移動を免震または制振できる。
【０００７】
以下に、本発明の実施形態に係るダンパーを説明する。本発明は、以下に記載した実施形態のいずれか、またはそれらの中の二つ以上が組み合わされた態様を含む。
【０００８】
本発明の実施形態に係るダンパーは、複数の長尺部材が格子状に互いに交差して、前記底部構造に格子状に交差する複数の前記長尺部材により囲われる複数の空間が各々に形成される。
上記の実施形態の構成により、複数の長尺部材が格子状に互いに交差する。前記底部構造に格子状に交差する複数の前記長尺部材により囲われる複数の空間が各々に形成される。
その結果、対象物と基礎とが相対移動すると、筒状部材の下部が液体の中で移動して、相対移動を免震または制振できる。
【０００９】
本発明の実施形態に係るダンパーは、複数の前記長尺部材が長尺の板材であって面を水平面内で長手方向に直交する方向に向けて格子状に互いに交差し、前記底部構造に格子状に交差する複数の前記長尺部材の面により囲われる複数の空間が各々に形成される。
上記の実施形態の構成により、複数の前記長尺部材が長尺の板材であって面を水平面内で長手方向に直交する方向に向けて格子状に互いに交差する。前記底部構造に格子状に交差する複数の前記長尺部材の面により囲われる複数の空間が各々に形成される。
その結果、対象物と基礎とが相対移動すると、筒状部材の下部が液体の中で移動して液体が板材の面との間で剪断力を生じて、相対移動を免震または制振できる。
【００１０】
本発明の実施形態に係るダンパーは、複数の前記長尺部材が長尺の板材であって面を垂直線から傾けて水平面内で長手方向に直交する方向に向けて格子状に互いに交差し、前記底部構造に格子状に交差する複数の前記長尺部材の垂直線から傾いた面により囲われる複数の空間が各々に形成される。
上記の実施形態の構成により、複数の前記長尺部材が長尺の板材であって面を垂直線から傾けて水平面内で長手方向に直交する方向に向けて格子状に互いに交差する。前記底部構造に格子状に交差する複数の前記長尺部材の垂直線から傾いた面により囲われる複数の空間が各々に形成される。
その結果、対象物と基礎とが相対移動すると、筒状部材の下部が液体の中で移動して液体が板材の傾いた面との間で剪断力を生じて、相対移動を免震または制振できる。
【００１１】
本発明の実施形態に係るダンパーは、複数の前記長尺部材が板幅方向に沿って湾曲した面をもつ長尺の板材であって面を水平面内で長手方向に直交する方向に向けて格子状に互いに交差し、前記底部構造に格子状に交差する複数の前記長尺部材の湾曲した面により囲われる複数の空間が各々に形成される。
上記の実施形態の構成により、複数の前記長尺部材が板幅方向に沿って湾曲した面をもつ長尺の板材であって面を水平面内で長手方向に直交する方向に向けて格子状に互いに交差する。前記底部構造に格子状に交差する複数の前記長尺部材の湾曲した面により囲われる複数の空間が各々に形成される。
その結果、対象物と基礎とが相対移動すると、筒状部材の下部が液体の中で移動して液体が板材の湾曲した面との間で剪断力を生じて、相対移動を免震または制振できる。
【００１２】
本発明の実施形態に係るダンパーは、前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材とを有し、前記底部構造に格子状に交差する複数の長尺部材により囲われる複数の空間が形成され、上から見て複数の貫通穴のうちの少なくとも幾つかの貫通穴が複数の前記空間の中に各々に位置する。
上記の実施形態の構成により、前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材とを有する。前記底部構造に格子状に交差する複数の長尺部材により囲われる複数の空間が形成される。上から見て複数の貫通穴のうちの少なくとも幾つかの貫通穴が複数の前記空間の中に各々に位置する。
その結果、対象物と基礎とが相対移動すると、筒状部材の下部が液体の中で移動して貫通穴を通過した液体が各々に形成される複数の空間を移動して、相対移動を免震または制振できる。
【００１３】
本発明の実施形態に係るダンパーは、前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材を有し、複数の前記長尺部材が長尺の板材であって面を垂直線から傾けて水平面内で長手方向に直交する方向に向け、前記底部構造に格子状に交差する複数の長尺部材の面により囲われて上下方向に移動するに従って一方の方向に拡がる複数の空間が形成され、上から見て複数の貫通穴のうちの少なくとも幾つかの貫通穴が複数の前記空間の上下方向の一方の側の中に各々に位置する。
上記の実施形態の構成により、前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材を有する。複数の前記長尺部材が長尺の板材であって面を垂直線から傾けて水平面内で長手方向に直交する方向に向ける。前記底部構造に格子状に交差する複数の長尺部材の面により囲われて上下方向に移動するに従って一方の方向に拡がる複数の空間が形成される。上から見て複数の貫通穴のうちの少なくとも幾つかの貫通穴が複数の前記空間の上下方向の一方の側の中に各々に位置する。
その結果、対象物と基礎とが相対移動すると、筒状部材の下部が液体の中で移動して貫通穴を通過した液体が傾いた面に各々に形成される複数の空間を移動して、相対移動を免震または制振できる。
【００１４】
本発明の実施形態に係るダンパーは、前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材を有し、複数の前記長尺部材が板幅方向に沿って湾曲する面をもつ長尺の板材であって面を水平面内で長手方向に直交する方向に向け、前記底部構造に格子状に交差する複数の長尺部材の面により囲われる複数の空間が形成され、上から見て複数の貫通穴のうちの少なくとも幾つかの貫通穴が複数の空間の上下方向の一方の側の中に各々に位置する。
上記の実施形態の構成により、前記ピストン状構造物が前記上板と前記筒状部材と前記底部構造と前記筒状部材の下部に設けられ面を上下方向に向ける板状の形状をもち垂直方向に貫通する複数の貫通穴を形成される板状部材を有する。複数の前記長尺部材が板幅方向に沿って湾曲する面をもつ長尺の板材であって面を水平面内で長手方向に直交する方向に向ける。前記底部構造に格子状に交差する複数の長尺部材の面により囲われる複数の空間が形成される。上から見て複数の貫通穴のうちの少なくとも幾つかの貫通穴が複数の空間の上下方向の一方の側の中に各々に位置する。
その結果、対象物と基礎とが相対移動すると、筒状部材の下部が液体の中で移動して貫通穴を通過した液体が傾いた面に各々に形成される複数の空間を移動し、相対移動を免震または制振できる。
【００１５】
本発明の実施形態に係るダンパーは、前記筒状部材が側面に開口を形成され、前記開口が液体の表面より上方に位置する。
上記の実施形態の構成により、前記筒状部材が側面に開口を形成される。前記開口が液体の表面より上方に位置する。
その結果、対象物と基礎とが相対移動すると、筒状部材の内部の空気が開口を通して移動し液体がピストン状構造物と相対移動するのを抑制しない。
【００１６】
本発明の実施形態に係るダンパーは、前記筒状部材が上から見て矩形の輪郭をした筒状の形状をもつ。
上記の実施形態の構成により、前記筒状部材が上から見て矩形の輪郭をした筒状の形状をもつ。
その結果、配置が容易になる。
【００１７】
本発明の実施形態に係るダンパーは、前記筒状部材が垂直軸に沿って上から下に移るのに従って拡がる筒状の形状を持つ。
上記の実施形態の構成により、前記筒状部材が垂直軸に沿って上から下に移るのに従って拡がる筒状の形状を持つ。
その結果、対象物と基礎とが相対移動すると、液体が筒状部材の拡がる部分と干渉する液体に大きな剪断力を発生し、相対移動を免震または制振できる。
【００１８】
本発明の実施形態に係るダンパーは、前記筒状部材が垂直軸に沿って上から下に移るのに従ってラッパ状に拡がる筒状の形状を持つ。
上記の実施形態の構成により、前記筒状部材が垂直軸に沿って上から下に移動するのに従ってラッパ状に拡がる筒状の形状を持つ。
その結果、対象物と基礎とが相対移動すると、液体が筒状部材の拡がる部分と干渉する液体に大きな剪断力を発生し、相対移動を免震または制振できる。
【００１９】
上記目的を達成するため、本発明に係る対象物と基礎との間に設けられるダンパーを、
基礎に固定され流体を貯留できる容器と、対象物に固定される上板と筒状の形状を持ち上端を該上板に固定し軸芯を垂直軸に沿わせた筒状部材と前記筒状部材の底部に設けられる底部構造と前記筒状部材の下部に設けられ面を上下方向に向ける板状の形状をもち垂直方向に貫通する複数の貫通穴を形成される板状部材とを有するピストン状構造物と、を備え、前記底部構造に上から見て散らばる様に配置される複数の空間を形成され、上から見て複数の貫通穴のうちの少なくとも幾つかの貫通穴が複数の前記空間の中に各々に位置し、前記ピストン状構造体が前記筒状部材の下部と前記底部構造の少なくとも一部とを前記液体に浸け前記容器に対し上下方向に相対移動自在になった、ものとした。
【００２０】
上記本発明の構成により、容器が、基礎に固定され流体を貯留できる。ピストン状構造物が、対象物に固定される上板と筒状の形状を持ち上端を該上板に固定し軸芯を垂直軸に沿わせた筒状部材と前記筒状部材の底部に設けられる底部構造と前記筒状部材の下部に設けられ面を上下方向に向ける板状の形状をもち垂直方向に貫通する複数の貫通穴を形成される板状部材とを有する。前記底部構造に上から見て散らばる様に配置される複数の空間を形成される。上から見て複数の貫通穴のうちの少なくとも幾つかの貫通穴が複数の前記空間の中に各々に位置する。前記ピストン状構造体が前記筒状部材の下部と前記底部構造の少なくとも一部とを前記液体に浸け前記容器に対し上下方向に相対移動自在になった。
その結果、対象物と基礎とが相対移動すると、筒状部材の下部が液体の中で移動して貫通穴を通過した液体が各々に形成される複数の空間を移動して、相対移動を免震または制振できる。
【００２１】
本発明の実施形態に係るダンパーは、複数の前記空間が上下方向に移動するに従って一方の方向に拡がる様に各々に形成され、上から見て複数の貫通穴のうちの少なくとも幾つかの貫通穴が複数の前記空間の上下方向の一方の側の中に各々に位置する。
上記の実施形態の構成により、複数の前記空間が上下方向に移動するに従って一方の方向に拡がる様に各々に形成され、上から見て複数の貫通穴のうちの少なくとも幾つかの貫通穴が複数の前記空間の上下方向の一方の側の中に各々に位置する。
その結果、対象物と基礎とが相対移動すると、筒状部材の下部が液体の中で移動して貫通穴を通過した液体が傾いた面に各々に形成される複数の空間を移動して、相対移動を免震または制振できる。
【００２２】
本発明の実施形態に係るダンパーは、複数の前記空間が上下方向に沿って湾曲する面により囲われる様に形成され、上から見て複数の貫通穴のうちの少なくとも幾つかの貫通穴が複数の空間の上下方向の一方の側の中に各々に位置する。
上記の実施形態の構成により、複数の前記空間が上下方向に沿って湾曲する面により囲われる様に形成され、上から見て複数の貫通穴のうちの少なくとも幾つかの貫通穴が複数の空間の上下方向の一方の側の中に各々に位置する。
その結果、対象物と基礎とが相対移動すると、筒状部材の下部が液体の中で移動して貫通穴を通過した液体が傾いた面に各々に形成される複数の空間を移動し、相対移動を免震または制振できる。
【発明の効果】
【００２３】
以上説明したように、本発明に係るダンパーは、その構成により、以下の効果を有する。
上板を対象物に固定し、上部を上板に固定し軸芯を垂直線に沿わせた筒状部材の下部に長手方向を水平にした複数の長尺部材を上から見て格子状になる様に配置し、前記筒行部材の下部を基礎に固定した容器に貯留される液体に付けて上下方向に相対移動自在になる様にしたので、対象物と基礎とが相対移動すると、筒状部材の下部が液体の中で移動して、相対移動を免震または制振できる。
また、格子状に交差する複数の長尺部材に囲われる複数の空間が各々に形成される様にしたので、対象物と基礎とが相対移動すると、筒状部材の下部が液体の中で移動して、相対移動を免震または制振できる。
また、複数の前記長尺部材の板材の面が水平面内で長手方向に直交する方向に向く様にするので、対象物と基礎とが相対移動すると、筒状部材の下部が液体の中で移動して液体が板材の面との間で剪断力を生じて、相対移動を免震または制振できる。
また、複数の前記長尺部材の垂直線から傾いた面が水平面内で長手方向に直交する方向に向く様にするので、対象物と基礎とが相対移動すると、筒状部材の下部が液体の中で移動して液体が板材の傾いた面との間で剪断力を生じて、相対移動を免震または制振できる。
また、複数の前記長尺部材が板幅方向に湾曲した面をもつ長尺の板材であって面を水平面内で長手方向に直交する方向に向く様にしたので、対象物と基礎とが相対移動すると、筒状部材の下部が液体の中で移動して液体が板材の湾曲した面との間で剪断力を生じて、相対移動を免震または制振できる。
また、前記板状部材が面を上下方向に向け垂直方向に貫通する貫通穴を形成され、上から見て幾つかの貫通穴が格子状に交差する複数の長尺部材により囲われて各々に形成される複数の空間の中に各々に位置する様にするので、対象物と基礎とが相対移動すると、筒状部材の下部が液体の中で移動して貫通穴を通過した液体が各々に形成される複数の空間を移動して、相対移動を免震または制振できる。
また、前記板状部材が面を上下方向に向け垂直方向に貫通する貫通穴を形成され、上から見て幾つかの貫通穴が格子状に交差する複数の長尺部材の傾いた面に囲われて各々に形成される複数の空間の中に各々に位置する様にするので、対象物と基礎とが相対移動すると、筒状部材の下部が液体の中で移動して貫通穴を通過した液体が傾いた面に各々に形成される複数の空間を移動して、相対移動を免震または制振できる。
また、前記板状部材が面を上下方向に向け垂直方向に貫通する貫通穴を形成され、上から見て幾つかの貫通穴が格子状に交差する複数の長尺部材の傾いた面に囲われて上から下に移動するに従って下方に各々に拡がる複数の空間の中に各々に位置する様にするので、対象物と基礎とが相対移動すると、筒状部材の下部が液体の中で移動して貫通穴を通過した液体が傾いた面に各々に形成される複数の空間を移動し、相対移動を免震または制振できる。
また、筒状部材の側面に形成されり開口が液体の表面により上方に位置する様にしたので、対象物と基礎とが相対移動すると、筒状部材の内部の空気が開口を通して移動し液体がピストン状構造物と相対移動するのを抑制しない。
また、前記筒状部材が上から見て矩形の輪郭をした筒状の形状をもつ様にしたので、配置が容易になる。
また、前記筒状部材が垂直軸に沿って上から下に移るのに従って拡がる筒状の形状を持つ様にしたので、対象物と基礎とが相対移動すると、液体が筒状部材の拡がる部分と干渉する液体に大きな剪断力を発生し、相対移動を免震または制振できる。
また、前記筒状部材が垂直軸に沿って上から下に移動するのに従ってラッパ状に拡がる筒状の形状を持つ様にしたので、対象物と基礎とが相対移動すると、液体が筒状部材の拡がる部分と干渉する液体に大きな剪断力を発生し、相対移動を免震または制振できる。
上板を対象物に固定し、上部を上板に固定し軸芯を垂直線に沿わせた筒状部材の下部に上から見て散らばる様に配置される複数の空間を形成し、前記板状部材が面を上下方向に向け垂直方向に貫通する貫通穴を形成され、上から見て幾つかの貫通穴が複数の空間の中に各々に位置する様にするので、対象物と基礎とが相対移動すると、筒状部材の下部が液体の中で移動して貫通穴を通過した液体が各々に形成される複数の空間を移動して、相対移動を免震または制振できる。
また、前記板状部材が面を上下方向に向け垂直方向に貫通する貫通穴を形成され、上から見て幾つかの貫通穴が上下方向の一方に拡がる様に各々に形成される複数の空間の中に各々に位置する様にするので、対象物と基礎とが相対移動すると、筒状部材の下部が液体の中で移動して貫通穴を通過した液体が傾いた面に各々に形成される複数の空間を移動して、相対移動を免震または制振できる。
また、前記板状部材が面を上下方向に向け垂直方向に貫通する貫通穴を形成され、上から見て幾つかの貫通穴が上下方向に湾曲する面により囲われて形成される複数の空間の中に各々に位置する様にするので、対象物と基礎とが相対移動すると、筒状部材の下部が液体の中で移動して貫通穴を通過した液体が傾いた面に各々に形成される複数の空間を移動し、相対移動を免震または制振できる。
従って、振動に対するダンピング特性を幅広く選択できるダンパーを提供できる。
【図面の簡単な説明】
【００２４】
【図１】本発明の実施形態に係る免震機構の全体図である。
【図２】本発明の第一の実施形態に係るダンパーの側面断面図である。
【図３】本発明の第一の実施形態に係るダンパーのＡ−Ａ矢視図である。
【図４】本発明の第一の実施形態に係るダンパーの部分図である。
【図５】本発明の第二の実施形態に係るダンパーのＡ−Ａ矢視図である。
【図６】本発明の第三の実施形態に係るダンパーの側面断面図である。
【図７】本発明の第四の実施形態に係るダンパーの側面断面図である。
【図８】本発明の第五の実施形態に係るダンパーの側面断面図である。
【図９】本発明の第六の実施形態に係るダンパーの側面断面図である。
【図１０】本発明の第七の実施形態に係るダンパーの側面断面図である。
【図１１】本発明の実施形態に係る底部構造その１の斜視図である。
【図１２】本発明の実施形態に係る底部構造その２の斜視図である。
【図１３】本発明の実施形態に係る底部構造その３の斜視図である。
【図１４】本発明の実施形態に係る底部構造その４の斜視図である。
【図１５】本発明の実施形態に係る底部構造その５の斜視図である。
【図１６】本発明の実施形態に係る板状部材その２の底面図である。
【図１７】本発明の実施形態に係る板状部材その３の底面図である。
【図１８】本発明の実施形態に係る板状部材の断面拡大図である。
【図１９】本発明の他の実施形態に係るダンパーの側面断面図である。
【図２０】本発明の他の実施形態に係るダンパーのＡ−Ａ矢視図である。
【発明を実施するための形態】
【００２５】
以下、本発明を実施するための形態を、説明する。
最初に、本発明の実施形態にかかるダンパーを用いた制振機構を、図を基に、説明する。
図１は、本発明の実施形態に係る制振機構の全体図である。
ここで、制振は、狭義の制振の他に免震をも含む。
【００２６】
機械装置支持構造は、機械装置１０を支持する構造である。
機械装置支持構造は、中間部材２０とばね／ダンパ式支持部材６０とで構成される。
機械装置支持構造は、中間部材２０と弾性部材（図示せず）とずれ止めストッパ機構５０とばね／ダンパ式支持部材６０とで構成されてもよい。
【００２７】
機械装置１０は、平面状の底面を形成する下部構造１１を有する装置である。
例えば、機械装置１０は、フレームとアクチエータ１２とハンマー１３とで構成される。
フレームは、下部構造１１と上部構造１４とで構成される。
機械装置が鍛造機である場合、下部構造１１をアンビルと呼称する。
下部構造１１の底面は、下向きになって平面状の面を形成している。
例えば、下部構造１１の底面は、四隅にアールの付いた略矩形の輪郭をもち下向きになって平たい面を形成している。
アクチエータ１２は、フレームに支持される機械要素である。
例えば、アクチエータはエアーシリンダである。
ハンマー１３は、アクチエータ１２に駆動される、
下部構造１１に素材を載せ、アクチエータ１２がハンマー１３を駆動すると、ハンマー１３が素材を叩き、素材を変形させることをできる。
【００２８】
中間部材２０は、下部構造１１の底面に対面する上面を形成し、所定の厚みを持つ部材である。
例えば、上から見て、中間部材２０は下部構造１１の底面の輪郭より大きな輪郭を持つ部材である。
【００２９】
弾性部材は、下部構造１１の底面に当たって、機械装置１０を支持する様に中間部材２０の上面に敷かれる板状の部材である。
例えば、弾性部材は、下部構造の底面に当たって機械装置１０を支持する様に中間部材２０の上面に敷かれる板状の樹脂製またはゴム製の部材である。
【００３０】
ずれ止めストッパ機構５０は、中間部材２０の相対的な上下移動を許し所定距離を越える相対的な水平移動を阻止できる機構である。
【００３１】
ばね／ダンパ式支持部材６０は、中間部材２０を下方から弾性機構２００とダンパー１００とで支持する部材である。
例えば、ばね／ダンパ式支持部材６０は、中間部材２０を下方からばねとダンパーとで支持する部材である。
弾性機構２００は、中間部材２０を直接に支持して機械装置を支持する弾性要素である。
ダンパー１００は、中間部材２０を直接に支持して機械装置を支持する粘性要素である。
【００３２】
以下に、本発明の第一の実施形態に係るダンパーを、図を基に、説明する。
図２は、本発明の第一の実施形態に係るダンパーの側面断面図である。図３は、本発明の第一の実施形態に係るダンパーのＡ−Ａ矢視図である。図４は、本発明の第一の実施形態に係るダンパーの部分図である。
【００３３】
ダンパー１００は、容器１１０とピストン状構造体１２０とで構成される。
ダンパー１００は、容器１１０とピストン状構造体１２０とカバー部材１３０とで構成されてもよい。
【００３４】
容器１１０は、基礎に固定され液体１１３を貯留できるものである。
例えば、容器１１０は、下板１１１と側板１１２とで構成される。
下板１１１は、基礎に支持される部材である。
下板１１１は、ばね２３０の下端を支持してもよい。
下板１１１は、複数のばね２３０を各々に支持する４つの下部ばね座２２０を設けられてもよい。
例えば、下板１１１は、４つのばね２３０を各々に支持する４つの下部ばね座２２０を設けられる。
側板１１２の下端と下板１１１の上面とが液密に接合される。
液体１１３の液面が容器１１０内で所定のレベルに一致する。
【００３５】
図２に、下部ばね座２２０が、下板に設けられる様子が示される。
４つの下部ばね座２２０が、矩形の輪郭をもつ下板１１１の四隅に配されてもよい。
【００３６】
ピストン状構造体１２０は、一部を液体１１３に浸け、容器１１０に対し上下方向に相対移動自在になる構造体である。
ピストン状構造体１２０は、上板１２１と筒状部材１２２と底部構造１２３とで構成されてもよい。
ピストン状構造体１２０は、上板１２１と筒状部材１２２と底部構造１２３と板状部材１２４で構成されてもよい。
ピストン状構造体１２０は、上板１２１と筒状部材１２２と板状部材１２４で構成されてもよい。
【００３７】
ピストン状構造体１２０が、筒状部材１２２の下部を液体に浸け、容器に対し上下方向に相対移動自在であってもよい。
ピストン状構造体１２０が、筒状部材１２２の下部と底部構造１２３の少なくとも一部とを液体に浸け、容器に対し上下方向に相対移動自在であってもよい。
ピストン状構造体１２０が、筒状部材１２２の下部と底部構造１２３の少なくとも一部と板状部材１２４とを液体に浸け、容器に対し上下方向に相対移動自在であってもよい。
図２に、ピストン状構造体１２０が、筒状部材１２２の下部と底部構造１２３の少なくとも一部と板状部材１２４とを液体に浸け、容器に対し上下方向に相対移動自在になる様子を示される。
【００３８】
上板１２１は、対象物に固定される板部材である。
上板１２１は、対象物に固定される所定の厚みをもった板部材であってもよい。
例えば、上板１２１は、対象物の下部に固定される上からみて略矩形の板部材である。
【００３９】
図３には、上板１２１が略矩形の輪郭をもつ様子が示される。
弾性機構２００の４つの上部ばね座２１０が、上板１２１の四隅に配される。
【００４０】
筒状部材１２２は、筒状の形状を持ち、上端を上板１２１に固定し中心軸を垂直軸に沿わせた部材である。
筒状部材１２２は、筒状の形状を持ち、上端を上板１２１に固定し筒状の中心軸を垂直軸に沿わせた部材であってもよい。
筒状部材１２２は、側面に開口Ｑを形成されてもよい。
開口Ｑの少なくとも一部は、液面より上方に位置する。
例えば、開口Ｑは、液面より上方に位置する。
筒状部材１２２は、上から見て円形の輪郭をした筒状の形状をもっていてもよい。
筒状部材１２２は、上から見て矩形の輪郭をした筒状の形状をもっていてもよい。
筒状部材１２２は、垂直軸に沿って上から下に移るのに従って一定の形状の筒状の形状を持っていてもよい。  
筒状部材１２２は、垂直軸に沿って上から下に移るのに従って拡がる筒状の形状を持っていてもよい。
筒状部材１２２は、垂直軸に沿って上から下に移るのに従って窄まる筒状の形状を持っていてもよい。
筒状部材１２２は、垂直軸に沿って上から下に移るのに従ってラッパ状に拡がる筒状の形状を持っていてもよい。
【００４１】
図２は、筒状部材１２２が、上部筒状部材１２２ａと下部筒状部材１２２ｂとで構成される様子を示す。
上部筒状部材１２２ａの上端が、上板１２１に固定される。
下部筒状部材１２２ｂの上端が、上部筒状部材１２２ａの下端に固定される。
上部筒状部材１２２ａは、上から見て略矩形の輪郭をもち垂直軸に沿って上から下へ移動するのに従って一定の寸法の筒状の形状を持つ。
下部筒状部材１２２ｂは、上から見て略矩形の輪郭をもち垂直軸に沿って上から下へ移動するのに従って一定の割合で傾斜して拡がる筒状の形状を持つ。
下から見て、下部筒状部材１２２ｂの矩形の輪郭の各辺が、上板１２１の矩形の輪郭の対応する各辺と平行である。
【００４２】
底部構造１２３は、筒状部材１２２の底部に設けられる構造である。
底部構造１２３は、複数の長尺部材１２３ａ、１２３ｂで構成されてもよい。
底部構造１２３は、複数の第一長尺部材１２３ａと複数の第二長尺部材１２３ｂとで構成されてもよい。
複数の長尺部材１２３ａ、１２３ｂは、複数の長尺の部材であって筒状部材１２２の下部に長手方向を水平にして上から見て格子状に交差して見える様に設けられる。
例えば、複数の第一長尺部材１２３ａと複数の第二長尺部材１２３ｂとが、長手方向を水平にして上から見て格子状に交差して見える様に設けられてもよい。
【００４３】
複数の長尺部材１２３ａ、１２３ｂが格子状に互いに交差してもよい。
複数の第一長尺部材１２３ａと複数の第二長尺部材１２３ｂとが、格子状に互いに交差してもよい。
底部構造１２３に、格子状に交差する複数の第一長尺部材１２３ａと複数の第二長尺部材１２３ｂとにより囲われる複数の空間Ｓが各々に形成されてもよい。
【００４４】
複数の長尺部材１２３ａ、１２３ｂが、長尺の板材であって、面を水平面内で長手方向に直交する方向に向けて、格子状に互いに交差してもよい。
複数の第一長尺部材１２３ａと複数の第二長尺部材１２３ｂとの両方が、長尺の板材であって、面を水平面内で長手方向に直交する方向に向て、格子状に互いに交差してもよい。
底部構造１２３に、格子状に交差する複数の第一長尺部材１２３ａの面と複数の第二長尺部材１２３ｂの面とにより囲われる複数の空間Ｓが各々に形成されてもよい。
【００４５】
複数の長尺部材１２３ａ、１２３ｂが、長尺の板材であって、面を垂直線から傾けて水平面内で長手方向に直交する方向に向け、格子状に互いに交差してもよい。
複数の第一長尺部材１２３ａと複数の第二長尺部材１２３ｂとが、長尺の板材であって、面を垂直線から傾けて水平面内で長手方向に直交する方向に向け、格子状に互いに交差してもよい。
複数の第一長尺部材１２３ａと複数の第二長尺部材１２３ｂとの一方が、長尺の板材であって、面を垂直線から傾けて水平面内で長手方向に直交する方向に向け、格子状に互いに交差してもよい。
底部構造１２３に、格子状に交差する複数の長尺部材１２３ａ、１２３ｂの側面により囲われる複数の空間Ｓが各々に形成されてもよい。
底部構造１２３に、格子状に交差する複数の第一長尺部材１２３ａの側面と第二長尺部材１２３ｂの側面とにより囲われる複数の空間Ｓが各々に形成されてもよい。
複数の第一長尺部材１２３ａと複数の第二長尺部材１２３ｂとの両方が、長尺の板材であって、面を垂直線から傾けて水平面内で長手方向に直交する方向に向け、格子状に互いに交差してもよい。
底部構造１２３に、格子状に交差する複数の第一長尺部材１２３ａの垂直線から傾いた面と第二長尺部材１２３ｂの垂直線から傾いた面とにより囲われる複数の空間Ｓが各々に形成されてもよい。
【００４６】
複数の長尺部材１２３ａ、１２３ｂが、板幅方向に沿って湾曲した面をもつ長尺の板材であって面を水平面内で長手方向に直交する方向に向け、格子状に互いに交差してもよい。
複数の第一長尺部材１２３ａと複数の第二長尺部材１２３ｂとが、板幅方向に沿って湾曲した面をもつ長尺の板材であって、面を水平面内で長手方向に直交する方向に向け、格子状に互いに交差してもよい。
複数の第一長尺部材１２３ａと複数の第二長尺部材１２３ｂとの一方が、板幅方向に沿って湾曲した面をもつ長尺の板材であって、面を水平面内で長手方向に直交する方向に向け、格子状に互いに交差してもよい。
底部構造１２３に、格子状に交差する複数の第一長尺部材１２３ａの側面と第二長尺部材１２３ｂの側面とにより囲われる複数の空間Ｓが各々に形成されてもよい。
複数の第一長尺部材１２３ａと複数の第二長尺部材１２３ｂとの両方が、板幅方向に沿って湾曲した面をもつ長尺の板材であって、面を水平面内で長手方向に直交する方向に向け、格子状に互いに交差してもよい。
底部構造１２３に、格子状に交差する複数の第一長尺部材１２３ａの湾曲した面と複数の第二長尺部材１２３ｂの湾曲した面とにより囲われる複数の空間Ｓが各々に形成されてもよい。
【００４７】
底部構造１２３に、上から見て散らばる様に配置される複数の空間Ｓを形成されてもよい。
複数の空間Ｓが上下方向に移動するに従って一定の形状になる様に各々に形成されてもよい。
複数の空間Ｓが上下方向に移動するに従って一方の方向に拡がる様に各々に形成されてもよい。
複数の空間Ｓが上から下に移動するに従って拡がる様に各々に形成されてもよい。
複数の空間Ｓが上から下に移動するに従って窄まる様に各々に形成されてもよい。
複数の空間Ｓが上下方向に沿って湾曲する面により囲われる様に形成されてもよい。
【００４８】
図４に、複数の第一長尺部材１２３ａと複数の第二長尺部材１２３ｂとの両方が、平面状の側面をもつ長尺の板材であって、面を水平面内で長手方向に直交する方向に向け、格子状に互いに交差している様子を示される。
底部構造１２３に、上から見て散らばる様に配置される複数の空間Ｓを形成される、
複数の空間Ｓは、格子状に交差する複数の長尺部材１２３ａ、１２３ｂの側面に囲われる。
複数の空間Ｓは、格子状に交差する複数の第一長尺部材１２３ａの側面と複数の第二長尺部材１２３ｂの側面とに囲われる。
複数の空間Ｓは、上から見て矩形の輪郭をもつ。
複数の空間Ｓ、上から下へ移動するに従って一定の寸法をもつ上から見て矩形の輪郭をもつ。
【００４９】
板状部材１２４は、面を上下方向に向ける板状の形状をもち垂直方向に貫通する複数の貫通穴Ｐを形成される部材である。
板状部材１２４は、筒状部材１２２の下部に設けられ、面を上下方向に向ける板状の形状をもち垂直方向に貫通する複数の貫通穴Ｐを形成されてもよい。
【００５０】
板状部材１２４は、中心部に切欠き部Ｏをもつ板状の部材であってもよい。
板状部材１２４は、矩形の輪郭をもち、中心部に切欠き部Ｏをもつ板状の部材であってもよい。
板状部材１２４は、矩形の輪郭をもち、中心部に矩形の切欠き部Ｏをもつ板状の部材であってもよい。
板状部材１２４は、筒状部材１２２の下端部の輪郭に対応する輪郭をもち、中心部に切欠き部Ｏをもつ板状の部材であってもよい。
板状部材１２４は、筒状部材１２２の下端部の輪郭に一致する輪郭をもち、中心部に切欠き部Ｏをもつ板状の部材であってもよい。
板状部材１２４は、筒状部材１２２の下端部の輪郭に対応する矩形の輪郭をもち、中心部に矩形の切欠き部Ｏをもつ板状の部材であってもよい。
【００５１】
上から見て複数の貫通穴Ｐのうちの少なくとも幾つかの貫通穴Ｐが複数の空間Ｓの中に各々に位置してもよい。
上から見て複数の貫通穴Ｐのうちの少なくとも幾つかの貫通穴Ｐが複数の空間Ｓの中心に各々に位置してもよい。
【００５２】
図３に、筒状部材１２２の下端の輪郭に一致する矩形の輪郭をもち、中心部に矩形の切欠き部Ｏをもつ板状部材が示される。上から見て、板状部材１２４に形成される複数の貫通穴Ｐは、底部構造１２３に形成される複数の空間Ｓの中心に位置する。
上から見て、複数の空間Ｓは、略矩形の輪郭をもつ。
図３では、底部構造１２３を構成する複数の第一長尺部材１２３ａと複数の第二長尺部材１２３ｂの一部が、板状部材１２４に形成される切欠き部Ｏを通して、視認できる様子が示される。
【００５３】
カバー部材１３０は、容器１１０とピストン状構造体１２０との隙間をカバーする部材である。
【００５４】
以下に、本発明の第一の実施形態に係るダンパーの作用を図を基に、説明する。
例えば、機械装置１０が振動する場合を例に説明する。
ピストン状構造体１２０が、機械装置１０の振動に応じて上下移動する。
筒状部材１２２の下部と底部構造１２３と板状部材１２４とが、容器１１０に溜まる液体１１３の中で相対移動する。
抵抗力が、相対移動に応じて、液体１１３と筒状部材１２２の側面との間に発生する。
抵抗力が、相対移動に応じて、液体１１３と底部構造の形成する空間Ｓの壁面との間に発生する。
抵抗力が、相対移動に応じて、液体を板状部材１２４に設けられる複数の貫通穴Ｐに通過させるに応じて発生する。
雰囲気が、ピストン状構造体１２０の上下移動に応じて、開口Ｑを通過する。
その結果、合計の抵抗力がピストン状構造体１２０に作用し、機械装置の振動を制振する。
【００５５】
次ぎに、本発明の第二の実施形態に係るダンパーを、図を基に、説明する。
図５は、本発明の第二の実施形態に係るダンパーのＡ−Ａ矢視図である。
第一の実施形態に係るダンパーの構造と同じ点の説明を省略し、異なる点のみを説明する。
【００５６】
ダンパー１００は、容器１１０とピストン状構造体１２０とで構成される。
【００５７】
容器１１０の主要な構成は、第一の実施形態に係るダンパーのものと同じなので、説明を省略する。
【００５８】
ピストン状構造体１２０は、一部を液体に浸け容器に対し上下方向に相対移動自在になる構造体である。
ピストン状構造体１２０は、上板１２１と筒状部材１２２と底部構造１２３とで構成されてもよい。
ピストン状構造体１２０は、上板１２１と筒状部材１２２と底部構造１２３と板状部材１２４で構成されてもよい。
ピストン状構造体１２０は、上板１２１と筒状部材１２２と板状部材１２４で構成されてもよい。
【００５９】
上板１２１の主要な構成は、第一の実施形態にかかるダンパーのもとの同じなので、説明を省略する。
図５には、略矩形の輪郭をもつ上板の様子が示される。
弾性機構２００の４つの上部ばね座２１０が、上板の四隅に配される。
【００６０】
筒状部材１２２は、筒状の形状を持ち上端を上板に固定し軸芯を垂直軸に沿わせた筒状の部材である。
図５には、上から見て矩形の輪郭をした筒状の形状をもっている筒状部材１２２が、示される。
筒状部材１２２の矩形の輪郭の各辺が、上板１２１の矩形の輪郭の各辺に互いに４５度で交差する。
【００６１】
筒状部材１２２と底部構造１２３と板状部材１２４の構成は、第一の実施形態に係るダンパーのものと同じなので、説明を省略する。
【００６２】
本発明の第二の実施形態に係るダンパーの作用は、第一の実施形態に係るダンパーのものと同じなので、説明を省略する。
【００６３】
次ぎに、本発明の第三の実施形態に係るダンパーを、図を基に、説明する。
図６は、本発明の第三の実施形態に係るダンパーの側面断面図である。
【００６４】
ダンパー１００は、容器１１０とピストン状構造体１２０とで構成される。
【００６５】
容器１１０の構成は、第一の実施形態に係るダンパーのものと同じなので、説明を省略する。
【００６６】
ピストン状構造体１２０は、一部を液体に浸け容器に対し上下方向に相対移動自在になる構造体である。
ピストン状構造体１２０は、上板１２１と筒状部材１２２と底部部材１２３と板状部材１２４で構成されてもよい。
【００６７】
上板１２１と底部部材１２３と板状部材１２４の構成は、第一の実施形態にかかるダンパーのものと同じなので、説明を省略する。
【００６８】
筒状部材１２２は、筒状の形状を持ち上端を上板１２１に固定し軸芯を垂直軸に沿わせた筒状の部材である。
筒状部材１２２は、上から見て円形の輪郭をした筒状の形状をもっていてもよい。
筒状部材１２２は、上から見て矩形の輪郭をした筒状の形状をもっていてもよい。
筒状部材１２２は、垂直軸に沿って上から下に移るのに従って一定の形状を持っていてもよい。
【００６９】
図６には、垂直軸に沿って上から下に移るのに従って一定の形状を持つ筒状部材が示される。
筒状部材１２２のその他の構成は、第一の実施形態に係るダンパーのものと同じなので、説明を省略する。
【００７０】
本発明の第三の実施形態にかかるダンパーの作用は、第一の実施形態に係るダンパーの作用と同じなので、説明を省略する。
【００７１】
次ぎに、本発明の第四の実施形態に係るダンパーを、図を基に、説明する。
図７は、本発明の第四の実施形態に係るダンパーの側面断面図である。
【００７２】
ダンパー１００は、容器１１０とピストン状構造体１２０とで構成される。
【００７３】
容器１１０の構成は、第一の実施形態に係るダンパーのものと同じなので、説明を省略する。
【００７４】
ピストン状構造体１２０は、一部を液体に浸け容器に対し上下方向に相対移動自在になる構造体である。
ピストン状構造体１２０は、上板１２１と筒状部材１２２と底部部材１２３と板状部材１２４で構成されてもよい。
【００７５】
上板１２１と底部部材１２３と板状部材１２４の構成は、第一の実施形態にかかるダンパーのものと同じなので、説明を省略する。
【００７６】
筒状部材１２２は、筒状の形状を持ち上端を上板に固定し軸芯を垂直軸に沿わせた筒状の部材である。
筒状部材１２２は、上から見て円形の輪郭をした筒状の形状をもっていてもよい。
筒状部材１２２は、上から見て矩形の輪郭をした筒状の形状をもっていてもよい。
筒状部材１２２は、垂直軸に沿って上から下に移るのに従って拡がる形状を持っていてもよい。
筒状部材１２２は、垂直軸に沿って上から下に移るのに従ってラッパ状に拡がる形状を持っていてもよい。
【００７７】
図７には、垂直軸に沿って上から下に移るのに従ってラッパ状に拡がる形状を持つ筒状部材が示される。
筒状部材１２２のその他の構成は、第一の実施形態に係るダンパーのものと同じなので、説明を省略する。
【００７８】
本発明の第四の実施形態にかかるダンパーの作用は、第一の実施形態に係るダンパーの作用と同じなので、説明を省略する。
【００７９】
次ぎに、本発明の第五の実施形態に係るダンパーを、図を基に、説明を省略する。
図８は、本発明の第五の実施形態に係るダンパーの側面断面図である。
【００８０】
ダンパー１００は、容器１１０とピストン状構造体１２０とで構成される。
【００８１】
容器１１０の構成は、第一の実施形態に係るダンパーのものと同じなので、説明を省略する。
【００８２】
ピストン状構造体１２０は、一部を液体に浸け容器に対し上下方向に相対移動自在になる構造体である。
ピストン状構造体１２０は、上板１２１と筒状部材１２２と底部部材１２３と板状部材１２４で構成されてもよい。
【００８３】
上板１２１と板状部材１２４の構成は、第一の実施形態にかかるダンパーのものと同じなので、説明を省略する。
【００８４】
筒状部材１２２は、筒状の形状を持ち上端を上板に固定し軸芯を垂直軸に沿わせた筒状の部材である。
筒状部材１２２は、上から見て円形の輪郭をした筒状の形状をもっていてもよい。
筒状部材１２２は、上から見て矩形の輪郭をした筒状の形状をもっていてもよい。
筒状部材１２２は、垂直軸に沿って上から下に移るのに従って一定の形状を持っていてもよい。
【００８５】
図８には、垂直軸に沿って上から下に移るのに従って一定の形状を持つ筒状部材が示される。
筒状部材１２２のその他の構成は、第一の実施形態に係るダンパーのものと同じなので、説明を省略する。
【００８６】
底部構造１２３は、筒状部材の底部に設けられる構造である。
底部構造１２３は、複数の長尺部材１２３ａ、１２３ｂで構成されてもよい。
複数の長尺部材１２３ａ、１２３ｂは、複数の長尺の部材であって筒状部材の下部に長手方向を水平にして上から見て格子状に交差して見える様に設けられる。
例えば、複数の第一長尺部材１２３ａと複数の第二長尺部材１２３ｂとが、長手方向を水平にして上から見て格子状に交差して見える様に設けられてもよい。
【００８７】
複数の長尺部材１２３ａ、１２３ｂが、長尺の板材であって面を垂直線から傾けて水平面内で長手方向に直交する方向に向け、格子状に互いに交差してもよい。
複数の第一長尺部材１２３ａと第二長尺部材１２３ｂとが、長尺の板材であって面を垂直線から傾けて水平面内で長手方向に直交する方向に向け、格子状に互いに交差してもよい。
複数の第一長尺部材１２３ａと複数の第二長尺部材１２３ｂとの一方が、長尺の板材であって面を垂直線から傾けて水平面内で長手方向に直交する方向に向け、格子状に互いに交差してもよい。
複数の第一長尺部材１２３ａと複数の第二長尺部材１２３ｂとの両方が、長尺の板材であって面を垂直線から傾けて水平面内で長手方向に直交する方向に向け、格子状に互いに交差してもよい。
底部構造１２３に、格子状に交差する複数の長尺部材１２３ａ、１２３ｂの垂直線から傾いた面により囲われる複数の空間Ｓが各々に形成されてもよい。
底部構造１２３に、格子状に交差する複数の第一長尺部材１２３ａの垂直線から傾いた面と複数の第ニ長尺部材１２３ｂの垂直線から傾いた面とにより囲われる複数の空間Ｓが各々に形成されてもよい。
【００８８】
底部構造１２３に、上から見て散らばる様に配置される複数の空間Ｓを形成されてもよい。
複数の空間Ｓが上から下に移動するに従って窄まる様に各々に形成されてもよい。
【００８９】
図８に、複数の第一長尺部材１２３ａと複数の第二長尺部材１２３ｂとの両方が、平面状の側面をもつ長尺の板材であって、傾斜する面を水平面内で長手方向に直交する方向に向け、格子状に互いに交差している様子を示される。
底部構造１２３に、上から見て散らばる様に配置される複数の空間Ｓを形成される、
複数の空間Ｓは、格子状に交差する複数の長尺部材１２３ａ、１２３ｂの側面に囲われる。
複数の空間Ｓは、格子状に交差する複数の第一長尺部材１２３ａの側面と複数の第二長尺部材１２３ｂの側面とに囲われる。
複数の空間Ｓは、上から見て矩形の輪郭をもつ。
複数の空間Ｓ、上から下へ移動するに従って窄まる様になった上から見て矩形の輪郭をもつ。
【００９０】
上から見て板状部材に形成される複数の貫通穴Ｐのうちの少なくとも幾つかの貫通穴Ｐが複数の空間Ｓの窄まった側の中に各々に位置してもよい。
上から見て板状部材に形成される複数の貫通穴Ｐのうちの少なくとも幾つかの貫通穴Ｐが複数の空間Ｓの窄まった側の中心に各々に位置してもよい。
【００９１】
本発明の第五の実施形態にかかるダンパーの作用は、第一の実施形態にかかるダンパーの作用と同じなので、説明を省略する。
【００９２】
次ぎに、本発明の第六の実施形態に係るダンパーを、図を基に、説明する。
図９は、本発明の第六の実施形態に係るダンパーの側面断面図である。
【００９３】
ダンパー１００は、容器１１０とピストン状構造体１２０とで構成される。
【００９４】
容器１１０の構成は、第一の実施形態に係るダンパーのものと同じなので、説明を省略する。
【００９５】
ピストン状構造体１２０は、一部を液体に浸け容器に対し上下方向に相対移動自在になる構造体である。
ピストン状構造体１２０は、上板１２１と筒状部材１２２と底部部材１２３と板状部材１２４で構成されてもよい。
【００９６】
上板１２１と板状部材１２４の構成は、第一の実施形態にかかるダンパーのものと同じなので、説明を省略する。
【００９７】
筒状部材１２２は、筒状の形状を持ち上端を上板に固定し軸芯を垂直軸に沿わせた筒状の部材である。
筒状部材１２２は、上から見て円形の輪郭をした筒状の形状をもっていてもよい。
筒状部材１２２は、上から見て矩形の輪郭をした筒状の形状をもっていてもよい。
筒状部材１２２は、垂直軸に沿って上から下に移るのに従って拡がる形状を持っていてもよい。
【００９８】
図８には、垂直軸に沿って上から下に移るのに従って拡がる形状を持つ下部筒状部材１２２ｂが示される。
筒状部材１２２のその他の構成は、第一の実施形態に係るダンパーのものと同じなので、説明を省略する。
【００９９】
底部構造１２３は、筒状部材の底部に設けられる構造である。
底部構造１２３は、複数の長尺部材１２３ａ、１２３ｂで構成されてもよい。
複数の長尺部材１２３ａ、１２３ｂは、複数の長尺の部材であって筒状部材の下部に長手方向を水平にして上から見て格子状に交差して見える様に設けられる。
複数の第一長尺部材１２３ａと複数の第二長尺部材１２３ｂとは、複数の長尺の部材であって、筒状部材の下部に長手方向を水平にして上から見て格子状に交差して見える様に設けられてもよい。
例えば、複数の第一長尺部材１２３ａと複数の第二長尺部材１２３ｂとが、長手方向を水平にして上から見て格子状に交差して見える様に設けられてもよい。
【０１００】
複数の長尺部材１２３ａ、１２３ｂが、長尺の板材であって面を垂直線から傾けて水平面内で長手方向に直交する方向に向け、格子状に互いに交差してもよい。
複数の第一長尺部材１２３ａと複数の第二長尺部材１２３ｂとが、長尺の板材であって面を垂直線から傾けて水平面内で長手方向に直交する方向に向け、格子状に互いに交差してもよい。
複数の第一長尺部材１２３ａと複数の第二長尺部材１２３ｂとの一方が、長尺の板材であって面を垂直線から傾けて水平面内で長手方向に直交する方向に向け、格子状に互いに交差してもよい。
複数の第一長尺部材１２３ａと複数の第二長尺部材１２３ｂとの両方が、長尺の板材であって面を垂直線から傾けて水平面内で長手方向に直交する方向に向け、格子状に互いに交差してもよい。
底部構造１２３に、格子状に交差する複数の長尺部材１２３ａ、１２３ｂの垂直線から傾いた面により囲われる複数の空間Ｓが各々に形成されてもよい。
底部構造１２３に、格子状に交差する複数の第一長尺部材１２３ａの垂直線から傾いた面と複数の第二長尺部材１２３ｂの垂直線から傾いた面とにより囲われる複数の空間Ｓが各々に形成されてもよい。
【０１０１】
底部構造１２３に、上から見て散らばる様に配置される複数の空間Ｓを形成されてもよい。
複数の空間Ｓが上から下に移動するに従って拡がる様に各々に形成されてもよい。
【０１０２】
図９に、複数の第一長尺部材１２３ａと複数の第二長尺部材１２３ｂとの両方が、平面状の側面をもつ長尺の板材であって傾斜する面を水平面内で長手方向に直交する方向に向け、格子状に互いに交差している様子を示される。
底部構造１２３に、上から見て散らばる様に配置される複数の空間Ｓを形成される、
複数の空間Ｓは、格子状に交差する複数の長尺部材１２３ａ、１２３ｂの側面に囲われる。
複数の空間Ｓは、格子状に交差する複数の第一長尺部材１２３ａの側面と複数の第二長尺部材１２３ｂの側面に囲われる。
複数の空間Ｓは、上から見て矩形の輪郭をもつ。
複数の空間Ｓ、上から下へ移動するに従って拡がる様になった上から見て矩形の輪郭をもつ。
【０１０３】
上から見て板状部材１２４に形成される複数の貫通穴Ｐのうちの少なくとも幾つかの貫通穴Ｐが複数の空間Ｓの拡がる側の中に各々に位置してもよい。
上から見て板状部材１２４に形成される複数の貫通穴Ｐのうちの少なくとも幾つかの貫通穴Ｐが複数の空間Ｓの拡がる側の中心に各々に位置してもよい。
【０１０４】
本発明の第六の実施形態にかかるダンパーの作用は、第一の実施形態にかかるダンパーの作用と同じなので、説明を省略する。
【０１０５】
次ぎに、本発明の第七の実施形態に係るダンパーを、図を基に、説明する。
図１０は、本発明の第七の実施形態に係るダンパーの側面断面図である。
【０１０６】
ダンパー１００は、容器１１０とピストン状構造体１２０とで構成される。
【０１０７】
容器１１０の構成は、第一の実施形態に係るダンパーのものと同じなので、説明を省略する。
【０１０８】
ピストン状構造体１２０は、一部を液体に浸け容器に対し上下方向に相対移動自在になる構造体である。
ピストン状構造体１２０は、上板１２１と筒状部材１２２と底部構造１２３と板状部材１２４で構成されてもよい。
【０１０９】
上板１２１と板状部材１２４の構成は、第一の実施形態にかかるダンパーのものと同じなので、説明を省略する。
【０１１０】
筒状部材１２２は、筒状の形状を持ち上端を上板に固定し軸芯を垂直軸に沿わせた筒状の部材である。
筒状部材１２２は、上から見て円形の輪郭をした筒状の形状をもっていてもよい。
筒状部材１２２は、上から見て矩形の輪郭をした筒状の形状をもっていてもよい。
筒状部材１２２は、垂直軸に沿って上から下に移るのに従ってラッパ状に拡がる形状を持っていてもよい。
【０１１１】
図１０には、垂直軸に沿って上から下に移るのに従ってラッパ状に拡がる形状を持つ下部筒状部材１２２ｂが示される。
筒状部材１２２のその他の構成は、第一の実施形態に係るダンパーのものと同じなので、説明を省略する。
【０１１２】
底部構造１２３は、筒状部材の底部に設けられる構造である。
底部構造１２３は、複数の長尺部材１２３ａ、１２３ｂで構成されてもよい。
複数の長尺部材１２３ａ、１２３ｂは、複数の長尺の部材であって筒状部材の下部に長手方向を水平にして上から見て格子状に交差して見える様に設けられる。
例えば、複数の第一長尺部材１２３ａと複数の第二長尺部材１２３ｂとが、長手方向を水平にして上から見て格子状に交差して見える様に設けられてもよい。
【０１１３】
複数の長尺部材１２３ａ、１２３ｂが、長尺の板材であって幅方向に湾曲する面を垂直線から傾けて水平面内で長手方向に直交する方向に向け、格子状に互いに交差してもよい。
複数の第一長尺部材１２３ａと複数の第二長尺部材１２３ｂとが、長尺の板材であって幅方向に湾曲する面を垂直線から傾けて水平面内で長手方向に直交する方向に向け、格子状に互いに交差してもよい。
複数の第一長尺部材１２３ａと複数の第二長尺部材１２３ｂとの一方が、長尺の板材であって幅方向に湾曲する面を垂直線から傾けて水平面内で長手方向に直交する方向に向け、格子状に互いに交差してもよい。
複数の第一長尺部材１２３ａと複数の第二長尺部材１２３ｂとの両方が、長尺の板材であって幅方向に湾曲する面を垂直線から傾けて水平面内で長手方向に直交する方向に向け、格子状に互いに交差してもよい。
底部構造１２３に、格子状に交差する複数の長尺部材１２３ａ、１２３ｂの幅方向に湾曲する面により囲われる複数の空間Ｓが各々に形成されてもよい。
底部構造１２３に、格子状に交差する複数の第一長尺部材１２３ａの幅方向に湾曲する面と複数の第二長尺部材１２３ｂの幅方向に湾曲する面とにより囲われる複数の空間Ｓが各々に形成されてもよい。
【０１１４】
底部構造１２３に、上から見て散らばる様に配置される複数の空間Ｓを形成されてもよい。
複数の空間Ｓが上から下に移動するに従って拡がる様に各々に形成されてもよい。
【０１１５】
図１０に、複数の第一長尺部材１２３ａと複数の第二長尺部材１２３ｂとの両方が、幅方向に湾曲する側面をもつ長尺の板材であって幅方向に湾曲する面を垂直軸から傾けて水平面内で長手方向に直交する方向に向け、格子状に互いに交差している様子を示される。
底部構造１２３に、上から見て散らばる様に配置される複数の空間Ｓを形成される、
複数の空間Ｓは、格子状に交差する複数の長尺部材１２３ａ、１２３ｂの幅方向に湾曲する側面に囲われる。
複数の空間Ｓは、格子状に交差する複数の第一長尺部材１２３ａの幅方向に湾曲する側面と複数の第二長尺部材１２３ｂの幅方向に湾曲する側面とに囲われてもよい。
複数の空間Ｓは、上から見て矩形の輪郭をもつ。
複数の空間Ｓ、上から下へ移動するに従って拡がる様になった上から見て矩形の輪郭をもつ。
【０１１６】
上から見て板状部材１２４に形成される複数の貫通穴Ｐのうちの少なくとも幾つかの貫通穴Ｐが複数の空間Ｓの拡がる側の中に各々に位置してもよい。
上から見て板状部材１２４に形成される複数の貫通穴Ｐのうちの少なくとも幾つかの貫通穴Ｐが複数の空間Ｓの拡がる側の中心に各々に位置してもよい。
【０１１７】
本発明の第七の実施形態にかかるダンパーの作用は、第一の実施形態にかかるダンパーの作用と同じなので、説明を省略する。
【０１１８】
次ぎに、本発明の実施形態にかかるダンパーの底部構造のバリエーションを、図を基に、説明する。
図１１は、本発明の実施形態に係る底部構造その１の斜視図である。図１２は、本発明の実施形態に係る底部構造その２の斜視図である。図１３は、本発明の実施形態に係る底部構造その３の斜視図である。図１４は、本発明の実施形態に係る底部構造その４の斜視図である。図１５は、本発明の実施形態に係る底部構造その５の斜視図である。
【０１１９】
底部構造その１を説明する。
底部構造１２３は、筒状部材の底部に設けられる構造である。
底部構造１２３は、複数の長尺部材１２３ａ、１２３ｂで構成される。
複数の長尺部材１２３ａ、１２３ｂは、複数の長尺の部材であって筒状部材の下部に長手方向を水平にして上から見て格子状に交差して見える様に設けられる。
【０１２０】
複数の第一長尺部材１２３ａと複数の第二長尺部材１２３ｂとが、垂直軸に一致させる互いの側面を水平面内で長手方向に直交する方向に向けて、格子状に互いに交差する。
底部構造１２３に、格子状に交差する複数の第一長尺部材１２３ａと複数の第二長尺部材１２３ｂとにより囲われる複数の空間Ｓが各々に形成される。
底部構造１２３に、上から見て碁盤の目状に配置される複数の空間Ｓを形成されてもよい。
複数の空間Ｓは、上下方向に移動するに従って一定の形状になる様に形成される。
【０１２１】
底部構造その２を説明する。
底部構造１２３は、筒状部材の底部に設けられる構造である。
底部構造１２３は、複数の長尺部材１２３ａ、１２３ｂで構成される。
複数の長尺部材１２３ａ、１２３ｂは、複数の長尺の部材であって筒状部材の下部に長手方向を水平にして上から見て格子状に交差して見える様に設けられる。
複数の第一長尺部材１２３ａと複数の第二長尺部材１２３ｂとは、複数の長尺の部材であって筒状部材の下部に長手方向を水平にして上から見て格子状に交差して見える様に設けられる。
【０１２２】
複数の第一長尺部材１２３ａが、垂直軸に一致させる側面を水平面内で長手方向に直交する方向に向ける。
複数の第二長尺部材１２３ｂは、垂直軸から傾斜する側面を水平面内で長手方向に直交する方向に向ける。
例えば、複数の第二長尺部材１２３ｂは、隣り合って並ぶ順に垂直軸から反対方向に交互に傾斜する側面を水平面内で長手方向に直交する方向に向ける。
複数の第一長尺部材１２３ａと複数の第二長尺部材１２３ｂとが、格子状に互いに交差する。
底部構造１２３に、格子状に交差する複数の第一長尺部材１２３ａと複数の第二長尺部差異１２３ｂとにより囲われる複数の空間Ｓが各々に形成される。
底部構造１２３に、上から見て碁盤の目状に配置される複数の空間Ｓを形成されてもよい。
複数の空間Ｓは、上下方向に移動するに従って変化する形状になる様に形成される。
【０１２３】
底部構造その３を説明する。
底部構造１２３は、筒状部材の底部に設けられる構造である。
底部構造１２３は、複数の長尺部材１２３ａ、１２３ｂで構成される。
複数の長尺部材１２３ａ、１２３ｂは、複数の長尺の部材であって筒状部材の下部に長手方向を水平にして上から見て格子状に交差して見える様に設けられる。
【０１２４】
複数の第一長尺部材１２３ａが、垂直軸から傾斜する側面を水平面内で長手方向に直交する方向に向ける。
例えば、複数の第一長尺部材１２３ａは、隣り合って並ぶ順に垂直軸から反対方向に交互に傾斜する側面を水平面内で長手方向に直交する方向に向ける。
複数の第二長尺部材１２３ｂは、垂直軸から傾斜する側面を水平面内で長手方向に直交する方向に向ける。
例えば、複数の第二長尺部材１２３ｂは、隣り合って並ぶ順に垂直軸から反対方向に交互に傾斜する側面を水平面内で長手方向に直交する方向に向ける。
複数の第一長尺部材１２３ａと複数の第二長尺部材１２３ｂとが、格子状に互いに交差する。
底部構造１２３に、格子状に交差する複数の長尺部材に１２３ａ、１２３ｂより囲われる複数の空間Ｓが各々に形成される。
底部構造１２３に、格子状に交差する複数の第一長尺部材１２３ａと複数の第二長尺部材１２３ｂとにより囲われる複数の空間Ｓが各々に形成されてもよい。
底部構造１２３に、上から見て碁盤の目状に配置される複数の空間Ｓを形成されてもよい。
複数の空間Ｓは、上下方向に移動するに従って変化する形状になる様に形成される。
【０１２５】
底部構造その４を説明する。
底部構造１２３は、筒状部材の底部に設けられる構造である。
底部構造１２３は、複数の円管部材１２３ｃで構成される。
複数の円管部材１２３ｃは、上から見て散らばって見える様に設けられる。
【０１２６】
複数の円管部材１２３ｃは、円管の中心軸を垂直にして水平に並ぶ。
底部構造１２３は、複数の円管部材１２３ｃで囲われる複数の空間Ｓが各々に形成される。
複数の空間Ｓは、上下方向に移動するに従って一定の形状を保持する用に形成される。
複数の空間Ｓは、上下方向に移動するに従って変化する形状になる様に形成されてもよい。
【０１２７】
底部構造その５を説明する。
底部構造１２３は、筒状部材の底部に設けられる構造である。
底部構造１２３は、複数の長尺部材１２３ａ、１２３ｂで構成される。
底部構造１２３は、複数の第一長尺部材１２３ａと複数の第二長尺部材１２３ｂとで構成されてもよい。
複数の長尺部材１２３ａ、１２３ｂは、複数の長尺の部材であって筒状部材の下部に長手方向を水平にして上から見て格子状に交差して見える様に設けられる。
複数の第一長尺部材１２３ａと複数の第二長尺部材１２３ｂとは、複数の長尺の部材であって筒状部材の下部に長手方向を水平にして上から見て格子状に交差して見える様に設けられる。
【０１２８】
複数の第一長尺部材１２３ａと複数の第二長尺部材１２３ｂとが、垂直軸に一致させる互いの側面を水平面内で長手方向に直交する方向に向けて、上下方向に重なる様に配置される。
底部構造１２３に、複数の長尺部材１２３ａ、１２３ｂより囲われる複数の空間Ｓが各々に形成される。
底部構造１２３に、複数の第一長尺部材１２３ａと複数の第二長尺部材１２３ｂとにより囲われる複数の空間Ｓが各々に形成される。
底部構造１２３に、上から見て碁盤の目状に配置される複数の空間Ｓを形成されてもよい。
【０１２９】
次ぎに、本発明の実施形態に係るダンパーに採用される板状部材を、図を基に、説明する。
図１６は、本発明の実施形態に係る板状部材その２の底面図である。図１７は、本発明の実施形態に係る板状部材その３の底面図である。図１８は、本発明の実施形態に係る板状部材の断面拡大図である。
【０１３０】
板状部材その１を説明する。
板状部材その１は、第一の実施形態にかかるダンパーで説明したものと同じなので説明を省略する。
【０１３１】
板状部材その２を説明する。
板状部材１２４は、面を上下方向に向ける板状の形状をもち垂直方向に貫通する複数の貫通穴Ｐを形成される部材である。
板状部材１２４は、筒状部材１２２の下部に設けられ、面を上下方向に向ける板状の形状をもち垂直方向に貫通する複数の貫通穴Ｐを形成されてもよい。
【０１３２】
板状部材１２４は、中心部に切欠き部Ｏをもたない板状の部材である。
板状部材１２４は、矩形の輪郭をもつ板状の部材であってもよい。
板状部材１２４は、筒状部材１２２の下端部の輪郭に対応する輪郭をもつ板状の部材であってもよい。
板状部材１２４は、筒状部材１２２の下端部の輪郭に一致する輪郭をもつ板状の部材であってもよい。
板状部材１２４は、筒状部材１２２の下端部の輪郭に対応する矩形の輪郭をもつ板状の部材であってもよい。
【０１３３】
板状部材その３を説明する。
板状部材１２４は、面を上下方向に向ける板状の形状をもち垂直方向に貫通する複数の貫通穴Ｐを形成される部材である。
板状部材１２４は、筒状部材１２２の下部に設けられ、面を上下方向に向ける板状の形状をもち垂直方向に貫通する複数の貫通穴Ｐを形成されてもよい。
【０１３４】
板状部材１２４は、中心部に切欠き部Ｏをもたない板状の部材である。
板状部材１２４は、矩形の輪郭をもつ板状の部材であってもよい。
板状部材１２４は、筒状部材１２２の下端部の輪郭より小さな輪郭をもつ板状の部材であってもよい。
板状部材１２４は、筒状部材１２２の下端部の輪郭より小さい矩形の輪郭をもつ板状の部材であってもよい。
【０１３５】
図１８は、板状部材１２４に形成される貫通穴Ｐの形状を示す。
図１８の上には、上下方向に移動するに従って一定の形状をもつ貫通穴が示される。
図１８の下には、上部と下部がラッパ状に拡がる形状をもつ貫通穴が示される。
ラッパ状部分の断面、が曲率Ｒで拡がる。
【０１３６】
上述のとおり、本発明の実施実施形態に係るダンパーを用いれば、以下の効果を有する。
上板１２１を対象物に固定し、上部を上板１２１に固定し軸芯を垂直に沿わせた筒状部材１２２の下部に長手方向を水平にした複数の第一長尺部材１２３ａと複数の第二長尺部材１２３ｂとを上から見て格子状になる様に配置し、筒行部材１２２の下部を基礎に固定した容器１１０に貯留される液体１１３に付けて上下方向に相対移動自在になる様にしたので、対象物と基礎とが相対移動すると、筒状部材１２２の下部が液体１１３の中で移動して、相対移動を免震または制振できる。
また、格子状に交差する複数の第一長尺部材１２３ａと複数の第二長尺部材１２３ｂとに囲われる複数の空間Ｓが各々に形成される様にしたので、対象物と基礎とが相対移動すると、筒状部材１２２の下部が液体１１３の中で移動して、相対移動を免震または制振できる。
また、複数の第一長尺部材１２３ａの板材の面と複数の第二長尺部材１２３ｂの板材の面が水平面内で長手方向に直交する方向に向く様にするので、対象物と基礎とが相対移動すると、筒状部材１２２の下部が液体１１３の中で移動して液体が板材の面との間で剪断力を生じて、相対移動を免震または制振できる。
また、複数の第一長尺部材１２３ａの垂直線から傾いた面と複数の第二長尺部材１２３ｂの垂直線から傾いた面とが水平面内で長手方向に直交する方向に向く様にするので、対象物と基礎とが相対移動すると、筒状部材１２２の下部が液体１１３の中で移動して液体が板材の傾いた面との間で剪断力を生じて、相対移動を免震または制振できる。
また、複数の第一長尺部材１２３ａと複数の第二長尺部材１２３ｂとが板幅方向に湾曲した面をもつ長尺の板材であって面を水平面内で長手方向に直交する方向に向く様にしたので、対象物と基礎とが相対移動すると、筒状部材１２２の下部が液体１１３の中で移動して液体が板材の湾曲した面との間で剪断力を生じて、相対移動を免震または制振できる。
また、板状部材１２４の板部材が面を上下方向に向け垂直方向に貫通する貫通穴Ｐを形成され、幾つかの貫通穴Ｐが格子状に交差する複数の第一長尺部材１２３ａと複数の第二長尺部材１２３ｂとにより囲われて各々に形成される複数の空間Ｓの中に各々に位置する様にするので、対象物と基礎とが相対移動すると、筒状部材１２２の下部が液体１１３の中で移動して貫通穴を通過した液体が各々に形成される複数の空間を移動して、相対移動を免震または制振できる。
また、板状部材１２４の板部材が面を上下方向に向け垂直方向に貫通する貫通穴Ｐを形成され、幾つかの貫通穴Ｐが格子状に交差する複数の第一長尺部材１２３ａの傾いた面と複数の第二長尺部材１２３ｂの傾いた面とに囲われて各々に形成される複数の空間Ｓの中に各々に位置する様にするので、対象物と基礎とが相対移動すると、筒状部材１２２の下部が液体１１３の中で移動して貫通穴を通過した液体が傾いた面に各々に形成される複数の空間を移動して、相対移動を免震または制振できる。
また、板状部材１２４の板部材が面を上下方向に向け垂直方向に貫通する貫通穴Ｐを形成され、幾つかの貫通穴Ｐが格子状に交差する複数の第一の長尺部材１２３ａ傾いた面と複数の第二長尺部材１２３ｂの傾いた面とに囲われて上から下に移動するに従って下方に各々に拡がる複数の空間Ｓの中に各々に位置する様にするので、対象物と基礎とが相対移動すると、筒状部材１２２の下部が液体１１３の中で移動して貫通穴Ｐを通過した液体１１３が傾いた面に各々に形成される複数の空間を移動し、相対移動を免震または制振できる。
また、筒状部材１２２の側面に形成されり開口Ｑが液体の表面により上方に位置する様にしたので、対象物と基礎とが相対移動すると、筒状部材１２２の内部の空気が開口Ｑを通して移動し液体１１３がピストン状構造物１２０と相対移動するのを抑制しない。
また、筒状部材１２２が上から見て矩形の輪郭をした筒状の形状をもつ様にしたので、配置が容易になる。
また、筒状部材１２２が垂直軸に沿って上から下に移るのに従って拡がる筒状の形状を持つ様にしたので、対象物と基礎とが相対移動すると、液体１１３が筒状部材１２２の拡がる部分と干渉する液体１１３に大きな剪断力を発生し、相対移動を免震または制振できる。
また、筒状部材１２２が垂直軸に沿って上から下に移動するのに従ってラッパ状に拡がる筒状の形状を持つ様にしたので、対象物と基礎とが相対移動すると、液体１１３が筒状部材１２２の拡がる部分と干渉する液体に大きな剪断力を発生し、相対移動を免震または制振できる。
上板を対象物に固定し、上部を上板に固定し軸芯を垂直線に沿わせた筒状部材１２２の下部に上から見て散らばる様に配置される複数の空間Ｓを形成し、板状部材１２４の板部材が面を上下方向に向け垂直方向に貫通する貫通穴Ｐを形成され、上から見て幾つかの貫通穴Ｐが複数の空間Ｓの中に各々に位置する様にするので、対象物と基礎とが相対移動すると、筒状部材１２２の下部が液体の中で移動して貫通穴を通過した液体が各々に形成される複数の空間を移動して、相対移動を免震または制振できる。
また、板状部材１２４の板部材が面を上下方向に向け垂直方向に貫通する貫通穴Ｐを形成され、上から見て幾つかの貫通穴Ｐが上下方向の一方に拡がる様に各々に形成される複数の空間Ｓの中に各々に位置する様にするので、対象物と基礎とが相対移動すると、筒状部材１２２の下部が液体１１３の中で移動して貫通穴Ｐを通過した液体１１３が傾いた面に各々に形成される複数の空間を移動して、相対移動を免震または制振できる。
また、板状部材１２４の板部材が面を上下方向に向け垂直方向に貫通する貫通穴Ｐを形成され、上から見て幾つかの貫通穴Ｐが上下方向に湾曲する面により囲われて形成される複数の空間Ｓの中に各々に位置する様にするので、対象物と基礎とが相対移動すると、筒状部材１２２の下部が液体の中で移動して貫通穴Ｐを通過した液体が傾いた面に各々に形成される複数の空間を移動し、相対移動を免震または制振できる。
【０１３７】
本発明は以上に述べた実施形態に限られるものではなく、発明の要旨を逸脱しない範囲で各種の変更が可能である。
機械装置を鍛造機である場合を例に説明したが、これに限定されない。例えば、機械装置は、水力装置、機械工作装置、その他の装置であってもよい。
開口Ｑが、液面より上方に位置する例で説明したが、これに限定されない。例えば、図１９には、上板１２１と筒状部材１２２と板状部材１２４で構成されるピストン状構造体１２０が示され、上下に２段に開口Ｑが設けられ、下段の開口Ｑの一部が液体に浸かる様子が示される。
４個のばねを備える場合を例に説明したがこれに限定されない。例えば、図２０に示す様に、６個のばねを備えてもよい。
【符号の説明】
【０１３８】
１０  機械装置
１１  下部構造
１２  アクチエータ
１３  ハンマー
１４  上部構造
２０  中間部材
５０  ずれ止めストッパ機構
６０  ばね／ダンパ式支持部材
７０  カバー
Ｏ    切欠き部
Ｐ    貫通穴
Ｑ    開口
Ｓ    空間
Ｒ  曲率半径
１００  ダンパー
１１０  容器
１１１  下板
１１２  側板
１１３  液体
１２０  ピストン状構造体
１２１  上板
１２２  筒状部材
１２２ａ  上部筒状部材
１２２ｂ  下部筒状部材
１２３  底部構造
１２３ａ  第一長尺部材、長尺部材
１２３ｂ  第二長尺部材、長尺部材
１２３ｃ  円筒部材
１２４  板状部材
１３０  カバー部材
２００  弾性機構
２１０  上部ばね座
２２０  下部ばね座
２３０  ばね
【先行技術文献】
【特許文献】
【０１３９】
【特許文献１】特開平６−０３１４０３号
【特許文献２】特開平８−１４１７９４号
【特許文献３】実開平９−１５０２９９号
【特許文献４】米国特許第４６４８５７７号明細書
【図１】
2015031350.tif 000003
【図２】
2015031350.tif 000004
【図３】
2015031350.tif 000005
【図４】
2015031350.tif 000006
【図５】
2015031350.tif 000007
【図６】
2015031350.tif 000008
【図７】
2015031350.tif 000009
【図８】
2015031350.tif 000010
【図９】
2015031350.tif 000011
【図１０】
2015031350.tif 000012
【図１１】
2015031350.tif 000013
【図１２】
2015031350.tif 000014
【図１３】
2015031350.tif 000015
【図１４】
2015031350.tif 000016
【図１５】
2015031350.tif 000017
【図１６】
2015031350.tif 000018
【図１７】
2015031350.tif 000019
【図１８】
2015031350.tif 000020
【図１９】
2015031350.tif 000021
【図２０】
2015031350.tif 000022